(57)【要約】【課題】専用線を使用せずに転送先の装置に知らせたい通知情報を転送する。【解決手段】転送側装置（第１の装置１又は第２の装置２）により、転送先の装置に知らせたい通知情報を有するデータを含むフレームデータをデータ線（第１のデータ線又は第２のデータ線）で転送し、このフレームデータに含まれるそれぞれのデータの種別に応じたデータ種別表示信号を信号線（第１の信号線又は第２の信号線）で送信し、受信側装置（第２の装置２又は第１の装置１）により、転送側装置が送信するデータ種別表示信号を信号線（第１の信号線又は第２の信号線）で受信しこれらのデータ種別表示信号に対応するフレームデータに含まれるそれぞれのデータをデータ線（第１のデータ線又は第２のデータ線）で受ける。【選択図】　　　図１
2004140562.tif 000002
【特許請求の範囲】
【請求項１】
データ線と信号線とにより装置間でフレームデータを転送する装置間データ転送方式において、
転送先の装置に知らせたい通知情報を有するデータを含む一以上のデータで構成する前記フレームデータを前記データ線で転送するとともに、このフレームデータに含まれるそれぞれの前記データの種別に応じたそれぞれのデータ種別表示信号を前記信号線で送信する転送側装置と、
前記転送側装置が送信する前記データ種別表示信号を前記信号線でそれぞれ受信しこれらのデータ種別表示信号にそれぞれ対応する前記フレームデータに含まれる前記データを前記データ線でそれぞれ受ける受信側装置と、
を備えたことを特徴とする装置間データ転送方式。
【請求項２】
データ線と信号線とにより装置間でフレームデータを転送する装置間データ転送方式において、
転送先の装置に知らせたい通知情報を含む制御データと本来転送すべきデータを示すセルデータとで構成する前記フレームデータを前記データ線で転送するとともに、このフレームデータに含まれるそれぞれの前記データの種別に応じたそれぞれのデータ種別表示信号を前記信号線で送信する転送側装置と、
前記転送側装置が送信する前記データ種別表示信号を前記信号線でそれぞれ受信しこれらのデータ種別表示信号にそれぞれ対応する前記データを前記データ線でそれぞれ受ける受信側装置と、
を備えたことを特徴とする装置間データ転送方式。
【請求項３】
前記フレームデータに含まれるそれぞれの前記データにそれぞれ同期した前記データ種別表示信号を前記信号線でそれぞれ送信する前記転送側装置と、
前記信号線でそれぞれ受信するデータ種別表示信号にそれぞれ同期した前記データを前記データ線でそれぞれ受ける前記受信側装置と、
を備えたことを特徴とする請求項１又は２記載の装置間データ転送方式。
【請求項４】
転送先の装置に知らせたい前記通知情報は、前記転送側装置の装置内情報を含むことを特徴とする請求項１又は２記載の装置間データ転送方式。
【請求項５】
前記装置内情報は前記転送側装置の障害情報を含むことを特徴とする請求項４記載の装置間データ転送方式。
【請求項６】
前記制御データに続けてこの制御データに含まれる前記セルデータの個数分の前記セルデータを転送する前記転送側装置と、
前記転送側装置より前記制御データを受けこの制御データに含まれる前記セルデータの個数分の前記セルデータを前記制御データに続けて受ける前記受信側装置と、
を備えたことを特徴とする請求項２記載の装置間データ転送方式。
【請求項７】
前記転送側装置は、前記通知情報を転送するときに本来転送すべきデータを示すセルデータがない場合に、前記セルデータの個数を０とした前記制御データのみを転送するようにしたことを特徴とする請求項６記載の装置間データ転送方式。
【請求項８】
データ線と信号線とにより装置間でフレームデータを転送する装置間データ転送方式において、
第２の装置に知らせたい第１の通知情報を有するデータを含む一以上のデータで構成する第１のフレームデータを第１のデータ線で転送するとともに、この第１のフレームデータに含まれるそれぞれのデータの種別に応じたそれぞれの第１のデータ種別表示信号を第１の信号線で送信し、前記第２の装置が送信する第２のデータ種別表示信号を第２の信号線でそれぞれ受信しこれらの第２のデータ種別表示信号にそれぞれ対応する第２のフレームデータに含まれるそれぞれのデータを第２のデータ線でそれぞれ受ける第１の装置と、
前記第１の装置に知らせたい第２の通知情報を有するデータを含む一以上のデータで構成する前記第２のフレームデータを前記第２のデータ線で転送するとともに、この第２のフレームデータに含まれるそれぞれのデータの種別に応じたそれぞれの前記第２のデータ種別表示信号を前記第２の信号線で送信し、前記第１の装置が送信する前記第１のデータ種別表示信号を前記第１の信号線でそれぞれ受信しこれらの前記第１のデータ種別表示信号にそれぞれ対応する前記第１のフレームデータに含まれるそれぞれのデータを前記第１のデータ線でそれぞれ受ける前記第２の装置と、
を備えたことを特徴とする装置間データ転送方式。
【請求項９】
データ線と信号線とにより装置間でフレームデータを転送する装置間データ転送方式において、
第２の装置に知らせたい第１の通知情報を含む第１の制御データと本来転送すべきデータを示すセルデータとで構成する第１のフレームデータを第１のデータ線で転送するとともに、この第１のフレームデータに含まれるそれぞれのデータの種別に応じたそれぞれの第１のデータ種別表示信号を第１の信号線で送信し、前記第２の装置が送信する第２のデータ種別表示信号を第２の信号線でそれぞれ受信しこれらの第２のデータ種別表示信号にそれぞれ対応する第２のフレームデータに含まれるそれぞれのデータを第２のデータ線でそれぞれ受ける第１の装置と、
前記第１の装置に知らせたい第２の通知情報を含む第２の制御データと本来転送すべきデータを示すセルデータとで構成する前記第２のフレームデータを前記第２のデータ線で転送するとともに、この第２のフレームデータに含まれるそれぞれのデータの種別に応じたそれぞれの前記第２のデータ種別表示信号を前記第２の信号線で送信し、前記第１の装置が送信する前記第１のデータ種別表示信号を前記第１の信号線でそれぞれ受信しこれらの前記第１のデータ種別表示信号にそれぞれ対応する前記第１のフレームデータに含まれるそれぞれのデータを前記第１のデータ線でそれぞれ受ける前記第２の装置と、
を備えたことを特徴とする装置間データ転送方式。
【請求項１０】
前記第１のデータ種別表示信号は前記第１のフレームデータに含まれるそれぞれのデータとそれぞれ同期し、前記第２のデータ種別表示信号は前記第２のフレームデータに含まれるそれぞれのデータとそれぞれ同期するようにしたことを特徴とする請求項８又は９記載の装置間データ転送方式。
【請求項１１】
前記第１の通知情報は前記第１の装置の装置内情報を含み、前記第２の通知情報は前記第２の装置の装置内情報を含むことを特徴とする請求項８又は９記載の装置間データ転送方式。
【請求項１２】
前記装置内情報は前記装置の障害情報を含むことを特徴とする請求項１１記載の装置間データ転送方式。
【請求項１３】
前記装置は、ＡＴＭシステム内の装置であることを特徴とする請求項１、２、８又は９記載の装置間データ転送方式。
【発明の詳細な説明】
【０００１】
【発明の属する技術分野】
本発明は装置間データ転送方式に関し、特に装置間で制御情報を通知する装置間データ転送方式に関する。
【０００２】
【従来の技術】
従来、この種の装置間データ転送方式は、装置内で発生する装置の状態の変化や障害等の制御情報を他の装置に通知するために用いられている。
【０００３】
従来の装置間データ転送方式は、例えば、特許文献１に開示されているように、ＡＴＭシステム内の装置間において、装置内で発生する装置の制御情報を専用線を用いて他の装置に通知している。この特許文献１によると、主信号伝送ラインにより主信号を転送し、制御情報を通知する専用線である制御信号伝送ラインにより制御信号を転送する。主信号伝送ラインは、データラインとデータクロックラインとを有し、制御信号伝送ラインは、制御データラインと制御データクロックラインとを有している。
【０００４】
【特許文献１】
特開平８−３０７３９８号公報（第３−４頁、図２）
【０００５】
【発明が解決しようとする課題】
上述した従来の装置間データ転送方式は、装置内で発生する装置の制御情報を専用線を用いて他の装置に通知しているため、主信号を伝送するラインとは別に制御情報を通知する専用線が必要となる。このため、専用線分の配線や制御情報を送受する専用の回路が必要になるという問題点がある。
【０００６】
本発明の目的はこのような従来の欠点を除去するため、専用線を使用せずに制御情報を通知でき、専用線分の配線や制御情報を送受する専用の回路が必要でない装置間データ転送方式を提供することにある。
【０００７】
【課題を解決するための手段】
本発明の第１の装置間データ転送方式は、データ線と信号線とにより装置間でフレームデータを転送する装置間データ転送方式において、
転送先の装置に知らせたい通知情報を有するデータを含む一以上のデータで構成する前記フレームデータを前記データ線で転送するとともに、このフレームデータに含まれるそれぞれの前記データの種別に応じたそれぞれのデータ種別表示信号を前記信号線で送信する転送側装置と、
前記転送側装置が送信する前記データ種別表示信号を前記信号線でそれぞれ受信しこれらのデータ種別表示信号にそれぞれ対応する前記フレームデータに含まれる前記データを前記データ線でそれぞれ受ける受信側装置と、
を備えて構成されている。
【０００８】
本発明の第２の装置間データ転送方式は、データ線と信号線とにより装置間でフレームデータを転送する装置間データ転送方式において、
転送先の装置に知らせたい通知情報を含む制御データと本来転送すべきデータを示すセルデータとで構成する前記フレームデータを前記データ線で転送するとともに、このフレームデータに含まれるそれぞれの前記データの種別に応じたそれぞれのデータ種別表示信号を前記信号線で送信する転送側装置と、
前記転送側装置が送信する前記データ種別表示信号を前記信号線でそれぞれ受信しこれらのデータ種別表示信号にそれぞれ対応する前記データを前記データ線でそれぞれ受ける受信側装置と、
を備えて構成されている。
【０００９】
また、本発明の第１と第２の装置間データ転送方式は、前記フレームデータに含まれるそれぞれの前記データにそれぞれ同期した前記データ種別表示信号を前記信号線でそれぞれ送信する前記転送側装置と、
前記信号線でそれぞれ受信するデータ種別表示信号にそれぞれ同期した前記データを前記データ線でそれぞれ受ける前記受信側装置と、
を備えて構成されている。
【００１０】
更に、本発明の第１と第２の装置間データ転送方式において、転送先の装置に知らせたい前記通知情報は、前記転送側装置の装置内情報を含んでいる。
【００１１】
本発明の第３の装置間データ転送方式は、データ線と信号線とにより装置間でフレームデータを転送する装置間データ転送方式において、
第２の装置に知らせたい第１の通知情報を有するデータを含む一以上のデータで構成する第１のフレームデータを第１のデータ線で転送するとともに、この第１のフレームデータに含まれるそれぞれのデータの種別に応じたそれぞれの第１のデータ種別表示信号を第１の信号線で送信し、前記第２の装置が送信する第２のデータ種別表示信号を第２の信号線でそれぞれ受信しこれらの第２のデータ種別表示信号にそれぞれ対応する第２のフレームデータに含まれるそれぞれのデータを第２のデータ線でそれぞれ受ける第１の装置と、
前記第１の装置に知らせたい第２の通知情報を有するデータを含む一以上のデータで構成する前記第２のフレームデータを前記第２のデータ線で転送するとともに、この第２のフレームデータに含まれるそれぞれのデータの種別に応じたそれぞれの前記第２のデータ種別表示信号を前記第２の信号線で送信し、前記第１の装置が送信する前記第１のデータ種別表示信号を前記第１の信号線でそれぞれ受信しこれらの前記第１のデータ種別表示信号にそれぞれ対応する前記第１のフレームデータに含まれるそれぞれのデータを前記第１のデータ線でそれぞれ受ける前記第２の装置と、
を備えて構成されている。
【００１２】
本発明の第４の装置間データ転送方式は、データ線と信号線とにより装置間でフレームデータを転送する装置間データ転送方式において、
第２の装置に知らせたい第１の通知情報を含む第１の制御データと本来転送すべきデータを示すセルデータとで構成する第１のフレームデータを第１のデータ線で転送するとともに、この第１のフレームデータに含まれるそれぞれのデータの種別に応じたそれぞれの第１のデータ種別表示信号を第１の信号線で送信し、前記第２の装置が送信する第２のデータ種別表示信号を第２の信号線でそれぞれ受信しこれらの第２のデータ種別表示信号にそれぞれ対応する第２のフレームデータに含まれるそれぞれのデータを第２のデータ線でそれぞれ受ける第１の装置と、
前記第１の装置に知らせたい第２の通知情報を含む第２の制御データと本来転送すべきデータを示すセルデータとで構成する前記第２のフレームデータを前記第２のデータ線で転送するとともに、この第２のフレームデータに含まれるそれぞれのデータの種別に応じたそれぞれの前記第２のデータ種別表示信号を前記第２の信号線で送信し、前記第１の装置が送信する前記第１のデータ種別表示信号を前記第１の信号線でそれぞれ受信しこれらの前記第１のデータ種別表示信号にそれぞれ対応する前記第１のフレームデータに含まれるそれぞれのデータを前記第１のデータ線でそれぞれ受ける前記第２の装置と、
を備えて構成されている。
【００１３】
また、本発明の第３と第４の装置間データ転送方式において、前記第１のデータ種別表示信号は前記第１のフレームデータに含まれるそれぞれのデータとそれぞれ同期し、前記第２のデータ種別表示信号は前記第２のフレームデータに含まれるそれぞれのデータとそれぞれ同期するようにしている。
【００１４】
更に、本発明の第３と第４の装置間データ転送方式において、前記第１の通知情報は前記第１の装置の装置内情報を含み、前記第２の通知情報は前記第２の装置の装置内情報を含んでいる。
【００１５】
【発明の実施の形態】
次に、本発明の実施の形態について図面を参照して説明する。
【００１６】
図１は、本発明の装置間データ転送方式の一つの実施の形態を示すブロック図である。
【００１７】
図１に示す本実施の形態は、第１の装置１と、第２の装置２とにより構成する。
【００１８】
第１の装置１は、第１のデータ線と第１の信号線とにより第２の装置２へ第１のフレームデータを転送し、第２の装置２は第１の装置１が転送した第１のフレームデータを受ける。このとき、第１の装置１は転送側装置であり、第２の装置２は受信側装置である。
【００１９】
また、第２の装置２は、第２のデータ線と第２の信号線とにより第１の装置１へ第２のフレームデータを転送し、第１の装置１は第２の装置２が転送した第２のフレームデータを受ける。このとき、第２の装置２は転送側装置であり、第１の装置１は受信側装置である。
【００２０】
第１の装置１は、第２の装置２に知らせたい第１の通知情報を有するデータを含む一以上のデータで構成する第１のフレームデータを第１のデータ線で転送するとともに、この第１のフレームデータに含まれるそれぞれのデータの種別に応じたそれぞれの第１のデータ種別表示信号を第１の信号線で送信し、第２の装置２が送信する第２のデータ種別表示信号を第２の信号線でそれぞれ受信しこれらの第２のデータ種別表示信号にそれぞれ対応する第２のフレームデータに含まれるそれぞれのデータを第２のデータ線でそれぞれ受ける。
【００２１】
第２の装置２は、第１の装置１に知らせたい第２の通知情報を有するデータを含む一以上のデータで構成する第２のフレームデータを第２のデータ線で転送するとともに、この第２のフレームデータに含まれるそれぞれのデータの種別に応じたそれぞれの第２のデータ種別表示信号を第２の信号線で送信し、第１の装置１が送信する第１のデータ種別表示信号を第１の信号線でそれぞれ受信しこれらの第１のデータ種別表示信号にそれぞれ対応する第１のフレームデータに含まれるそれぞれのデータを第１のデータ線でそれぞれ受ける。
【００２２】
第１のフレームデータと第２のフレームデータとは、共に、転送先の装置に知らせたい通知情報を含む制御データと本来転送すべきデータを示すセルデータとを有する。
【００２３】
第１のデータ種別表示信号は第１のフレームデータに含まれるそれぞれのデータとそれぞれ同期し、第２のデータ種別表示信号は第２のフレームデータに含まれるそれぞれのデータとそれぞれ同期している。
【００２４】
第１の通知情報は第１の装置１の装置内情報を含み、第２の通知情報は第２の装置２の装置内情報を含んでいる。
【００２５】
装置内情報は装置の障害情報を含んでいる。
【００２６】
次に、本実施の形態の装置間データ転送方式の動作を図２、図３、図４、図５及び図６を参照して詳細に説明する。
【００２７】
図２は、本発明の装置間データ転送方式が実施される装置を含むＡＴＭシステムの一例を示す図である。ＡＴＭシステムは、回線装置３、上位装置４及び配下装置５とにより構成する。回線装置３は、他ノードからの通信データを上位装置４へ転送し、配下装置５から上位装置４に転送されるＡＴＭセルデータを他ノードへ転送するための装置である。上位装置４は、配下装置５の制御／統制機能を有し、配下装置５のＡＴＭセルデータを受け回線装置３へ転送するための装置である。配下装置５は、ＡＴＭセルデータの処理を行いＡＴＭセルデータを上位装置４へ転送するための装置である。回線装置３、上位装置４及び配下装置５は、それぞれＡＤＴＩ（Ａｓｙｎｃｈｒｏｎｏｕｓ　Ｄａｔａ　ＴｒａｎｓｐｏｒｔＩｎｔｅｒｆａｃｅ）を有し、ＡＤＴＩの間に設けたデータ線と信号線とを有するラインによりそれぞれ接続している。
【００２８】
図３は、上位装置と配下装置との接続例を示す図である。上位装置４のＡＤＴＩから転送されたフレームデータを配下装置５のＡＤＴＩが受け、配下装置５のＡＤＴＩから転送されたフレームデータを上位装置４のＡＤＴＩが受けているようすを示している。上位装置４は、下り線（下りのデータ線と下りの信号線）により配下装置５へフレームデータを転送し、配下装置５は上位装置４が転送したフレームデータを受ける。配下装置５は、上り線（上りのデータ線と上りの信号線）により上位装置４へフレームデータを転送し、上位装置４は配下装置５が転送したフレームデータを受ける。この上位装置４と配下装置５が、図１で示した第１の装置１と第２の装置２に当たる。この下りのデータ線と下りの信号線が、図１で示した第１のデータ線と第１の信号線に当たる。更に、この上りのデータ線と上りの信号線が、図１で示した第２のデータ線と第２の信号線に当たる。
【００２９】
図４は、フレームデータの転送例を示す図である。
【００３０】
図５は、フレームデータを転送する処理の一例を示す図である。
【００３１】
図６は、フレームデータを受信する処理の一例を示す図である。
【００３２】
図３において、例えば、上位装置４から配下装置５へフレームデータを転送する場合について、図４を用いて説明する。フレームデータは、制御データ（例えば、ＡＤＴＩ−ＯＨ：ＯＨはオーバーヘッド）とこの制御データ内にある転送セルデータ数で示す個数のＡＴＭセルデータとにより構成する。上位装置４が例えばＡＴＭセルデータを４個転送するときには、この転送セルデータ数を”４”に設定する。そして、上位装置４のＡＤＴＩは、下りの信号線に予め定めた幅の”１”のパルス（以後、データ種別パルスと記載する。）をデータ種別表示信号として送出し、これに同期させてフレームデータのうちの制御データを下りデータ線に送出する。そして、この制御データに続けて制御データ内にある転送セルデータ数で示す個数分のＡＴＭセルデータを連続して出力する。ＡＴＭセルデータを出力する毎にデータ種別パルスをデータ種別表示信号として出力する。配下装置５のＡＤＴＩは、下りの信号線でデータ種別パルスを受け、このパルスに同期して下りデータ線より制御データを受ける。そして、この制御データ内にある転送セルデータ数で示す個数分のＡＴＭセルデータを、下りの信号線でデータ種別パルスを受ける毎に受ける。
【００３３】
装置の障害情報を含む装置内情報を転送先の装置へ知らせたいときには、この装置内情報を制御データ内に含ませて転送する。
【００３４】
転送すべきＡＴＭセルデータがなく、装置内情報を含んだ制御データのみを転送するときには、装置内情報を含み転送セルデータ数を”０”とした制御データのみのフレームデータを転送する。
【００３５】
装置内情報を含む制御データとＡＴＭセルデータの転送に関しては次の１から３の条件が設けられている。
【００３６】
１．転送側装置（ここでは、上位装置４）に転送すべきＡＴＭセルデータが存在した場合に、このＡＴＭセルデータを含むフレームデータを転送する。
【００３７】
２．何らかの状態変化イベント（転送すべき装置内情報）が発生した場合に、この装置内情報を含む制御データを含むフレームデータを即座に転送する。しかし、この制御データを送信する際、ＡＴＭセルデータが送信されていた場合は、このＡＴＭセルデータ送信完了後に送信する。
【００３８】
３．状態変化イベントが未発生であっても、略一定間隔で装置内情報を含む制御データを転送する。すなわち、装置内情報を含む制御データの前回の転送後、予め定めた時間経過してから、この前回転送した装置内情報を含む制御データを転送する。但し、ＡＴＭセルデータの転送を優先させる。
【００３９】
フレームデータの転送手順の一例を図５を用いて説明する。
【００４０】
上位装置４のＡＤＴＩは、ステップ５１では、転送すべきＡＴＭセルデータが存在するか否かを調べ、転送すべきＡＴＭセルデータが存在しないときにはステップ５３へと進み、転送すべきＡＴＭセルデータが存在するときにはステップ５２へと進む。
【００４１】
ステップ５２では、転送すべきＡＴＭセルデータの個数を制御データ内の転送セルデータ数にセットし、この制御データとＡＴＭセルデータとによりフレームデータを作成し、下りの信号線にデータ種別パルスをデータ種別表示信号として送出する。これに同期させてフレームデータのうちの制御データを下りデータ線に送出する。そして、この制御データに続けて制御データ内にある転送セルデータ数で示す個数分のＡＴＭセルデータを連続して出力する。ＡＴＭセルデータを出力する毎にこのＡＴＭセルデータ同期させてデータ種別パルスをデータ種別表示信号としてそれぞれ出力する。これらのデータ種別パルスは、出力されるそれぞれのＡＴＭセルデータの先頭に同期している。
【００４２】
ステップ５３では、状態変化イベント（転送すべき装置内情報）が発生したか否かを調べ、発生したときにはステップ５５へと進み、発生していないときにはステップ５４へと進む。
【００４３】
ステップ５４では、一定間隔で装置内情報を含む制御データを転送するための時限タイマが予め定めた時間（この時間はシステムにより適宜決定して良い。）経過したか否かを調べ、予め定めた時間経過していないときにはステップ５１へと進み、予め定めた時間経過したときにはステップ５５へと進む。
【００４４】
ステップ５５では、最新の装置内情報を含み転送セルデータ数を”０”とした制御データのみのフレームデータを作成し、下りの信号線にデータ種別パルスをデータ種別表示信号として送出する。これに同期させてフレームデータのうちの制御データを下りデータ線に送出する。そして、時限タイマをクリアしステップ５１へと進む。
【００４５】
フレームデータの受信手順の一例を図６を用いて説明する。
【００４６】
配下装置５のＡＤＴＩは、ステップ６１では、データ種別パルスを下りの信号線で受けステップ６２へ進む。
【００４７】
ステップ６２では、下りのデータ線で制御データを受けステップ６３へ進む。
【００４８】
ステップ６３では、ステップ６２で受けた制御データ内の転送セルデータ数を調べ、この転送セルデータ数が”０”のときには、ＡＴＭセルデータの転送がないと判断しステップ６３へ進み、この転送セルデータ数が”０”でないときには、ＡＴＭセルデータの転送があると判断しステップ６４へ進む。
【００４９】
ステップ６４では、下りの信号線で送られてくるデータ種別パルスの受信に同期して下りのデータ線で送られてくるＡＴＭセルデータを受ける。このＡＴＭセルデータをステップ６２で受けた制御データ内の転送セルデータ数で示す個数分受ける。
【００５０】
ステップ６５では、ステップ６２で受けた制御データ内の装置内情報を取り出す。
【００５１】
従って、配下装置５は、ＡＤＴＩにより受けた装置内情報で示す障害情報を含む上位装置４の内部情報を認識し、この情報に応じた動作をすることができる。
【００５２】
配下装置５のＡＤＴＩは、この上位装置４からの装置内情報を下りのデータ線により受けるので、上位装置４からの装置内情報を受けるために下りのデータ線用の回路以外の回路を設ける必要がない。下りのデータ線で受けるための回路を設ければ良く、装置内情報を受けるための専用の回路を設ける必要がない
以上の説明では、上位装置４から配下装置５へフレームデータを転送し、配下装置５がこのフレームデータを受けたが、配下装置５から上位装置４へフレームデータを転送し、上位装置４がこのフレームデータを受けるようにしても良い。この場合も、上りの信号線と上りのデータ線とによりフレームデータを転送するため、上位装置４から配下装置５へフレームデータを転送したときの同様の効果が得られる。
【００５３】
【発明の効果】
以上説明したように、本発明の装置間データ転送方式によれば、転送側装置により、転送先の装置に知らせたい通知情報を有するデータを含むフレームデータをデータ線で転送し、このフレームデータに含まれるそれぞれのデータの種別に応じたデータ種別表示信号を信号線で送信し、受信側装置により、転送側装置が送信するデータ種別表示信号を信号線で受信しこれらのデータ種別表示信号に対応するフレームデータに含まれるそれぞれのデータをデータ線で受けるため、データ線を使用して転送先の装置に知らせたい通知情報を転送するので、転送先の装置に知らせたい通知情報を転送するのに専用線を使用する必要がない。このため、専用線分の配線や転送先の装置に知らせたい通知情報を送受するための専用の回路を必要としない。
【図面の簡単な説明】
【図１】本発明の装置間データ転送方式の一つの実施の形態を示すブロック図である。
【図２】本発明の装置間データ転送方式が実施される装置を含むＡＴＭシステムの一例を示す図である。
【図３】上位装置と配下装置との接続例を示す図である。
【図４】フレームデータの転送例を示す図である。
【図５】フレームデータを転送する処理の一例を示す図である。
【図６】フレームデータを受信する処理の一例を示す図である。
【符号の説明】
１　　第１の装置
２　　第２の装置
３　　回線装置
４　　上位装置
５　　配下装置
【図１】
2004140562.tif 000003
【図２】
2004140562.tif 000004
【図３】
2004140562.tif 000005
【図４】
2004140562.tif 000006
【図５】
2004140562.tif 000007
【図６】
2004140562.tif 000008